(57)【要約】【課題】十分な防音効果が得られるバスコアの防音構造を提供する。【解決手段】バスコアの床２０の裏面に複数の補強リブ２１を形成し、この補強リブ２１と補強リブ２１との間に粘着性を有する制振部材３１を貼り付け、この制振部材３１の下面に拘束層を形成する拘束部材３２を貼り付け、この拘束部材を高密度繊維板または多孔質部材で形成した。【選択図】図２
2008111259.tif 000002
【特許請求の範囲】
【請求項１】
バスコアの床の裏面に補強用の複数のリブを形成し、このリブとリブとの間に粘着性を有する制振部材を貼り付け、この制振部材の下面に拘束層を形成する拘束部材を貼り付け、この拘束部材を高密度繊維板または多孔質部材で形成したことを特徴とするバスコアの防音構造。
【請求項２】
前記複数のリブの下面にシート部材を貼り付けて、このシート部材とリブとで囲まれる閉空間を形成し、この閉空間に連通する孔を前記シート部材に設けたことを特徴とする請求項１に記載のバスコアの防音構造。
【請求項３】
前記シート部材は発泡ポリエチレンシートであることを特徴とする請求項２に記載のバスコアの防音構造。
【請求項４】
前記閉空間と前記孔とでヘルムホルツ型共鳴構造を形成することを特徴とする請求項２または請求項３に記載のバスコアの防音構造。
【請求項５】
前記制振部材は、ブチルゴムまたはアクリルゴムであることを特徴とする請求項１ないし請求項４のいずれか１つに記載のバスコアの防音構造。
【発明の詳細な説明】
【技術分野】
【０００１】
この発明は、浴槽と洗い場等を一体的に設けたバスコアの防音構造に関する。
【背景技術】
【０００２】
従来から、浴槽に拘束型制振材を取り付けたバスコアの防音構造が知られている（特許文献１参照）。
【０００３】
かかる防音構造は、浴槽の噴射口取付面の裏面であって第１噴射口吸水部と第２噴射口吸水部との間に拘束型制振材を取り付けたものである。
【０００４】
この拘束型制振材は、合成ゴム系粘着材からなる粘弾性層と、この粘弾性層にアルミシートからなる拘束層を設けたものである。
【特許文献１】特開２００１−４６２５９号公報
【発明の開示】
【発明が解決しようとする課題】
【０００５】
ところで、このような防音構造にあっては、拘束型制振材の拘束層がアルミシートであるため、放射音に対して防音効果がなく、また、拘束型制振材が浴槽の噴射口取付面の裏面に設けられているだけなので、バスコアの床面からの振動発音や放射音に対して十分な防音効果が得られないという問題があった。
【０００６】
この発明の目的は、十分な防音効果が得られるバスコアの防音構造を提供することにある。
【課題を解決するための手段】
【０００７】
請求項１の発明は、バスコアの床の裏面に補強用の複数のリブを形成し、このリブとリブとの間に粘着性を有する制振部材を貼り付け、この制振部材の下面に拘束層を形成する拘束部材を貼り付け、この拘束部材を高密度繊維板または多孔質部材で形成したことを特徴とするバスコアの防音構造。
【０００８】
請求項２の発明は、前記複数のリブの下面にシート部材を貼り付けて、このシート部材とリブとで囲まれる閉空間を形成し、この閉空間に連通する孔を前記シート部材に設けたことを特徴とする。
【０００９】
請求項３の発明は、前記シート部材は発泡ポリエチレンシートであることを特徴とする。
【００１０】
請求項４の発明は、前記閉空間と前記孔とでヘルムホルツ型共鳴構造を形成することを特徴とする。
【００１１】
請求項５の発明は、前記制振部材は、ブチルゴムまたはアクリルゴムであることを特徴とする。
【発明の効果】
【００１２】
この発明によれば、バスコアの床面からの振動発音や放射音に対して十分な防音効果が得られる。
【発明を実施するための最良の形態】
【００１３】
以下、この発明に係るバスコアの防音構造の実施の形態である一実施例を図面に基づいて説明する。
【実施例】
【００１４】
図１に示すバスコア１０は、浴槽１１と洗い場１２等を一体的に設けたものである。
【００１５】
バスコア１０の浴槽１１の底部１１Ａは、浴槽床パネル１上に設けられたドレンタイト２に支持されており、浴槽床パネル１は基礎部３に支持されている。洗い場１２の床２０は、後述するシート部材４０を介して基礎部４に保持された大引き５に支持されている。
【００１６】
床２０の裏面には、図２および図３に示すように、複数の補強リブ２１,２２が格子状に形成されている。
【００１７】
この補強リブ２１,２２で囲まれる空間Ｓの床２０の裏面２０Ａに防音材３０が貼り付けられている。
【００１８】
防音材３０は、床２０の裏面２０Ａに貼り付けられる粘着性のある制振材３１と、この制振材３１の裏面に貼り付けられた拘束層を形成する拘束部材３２とで構成されている。
【００１９】
制振材３１は、例えばブチルゴムやアクリルゴム等で形成されるが、粘着性があれば他の部材で形成してもよい。
【００２０】
拘束部材３２は、高密度繊維であるロックウールやグラスウールで形成されるが多孔質部材で形成してもよい。
【００２１】
補強リブ２１,２２の下面には、発泡ポリエチレンからなるシート部材４０が貼り付けられており、補強リブ２１,２２で囲まれる空間Ｓがシート部材４０により閉空間となっている。
【００２２】
このシート部材４０には、各空間Ｓに対応して孔４１がそれぞれ設けられており、各空間Ｓがそれぞれ孔４１を介して外気に連通している。孔４１の断面積は各空間Ｓの断面積（図３に示す平面視の面積）より小さく設定されている。そして、各空間Ｓは、それぞれの孔４１によりヘルムホルツ型共鳴構造（ヘルムホルツ共鳴器）となっている。
【００２３】
そして、補強リブ２１,２２と防音材３０とシート部材４０とで防音構造５０を構成している。
【００２４】
次に、上記のように構成されるバスコア１０の防音構造５０の作用について説明する。
【００２５】
バスコア１０の床２０が振動すると、この振動により床２０が剪断変形を起こし、この剪断変形により制振材３１がずれを起す。このずれによるエネルギーロスで制振材３１がその振動を吸収し減衰させる。すなわち、制振材３１はバスコア１０の床２０の振動を制振させる。
【００２６】
また、拘束部材３２は、ロックウールやグラスウール等からなっているので、バスコア１０の床２０の振動による放射音を吸収することになり、防音材３０による防音効果を得ることができる。
【００２７】
さらに、バスコア１０の床２０の振動による放射音は、空間Ｓからシート部材４０の孔４１を介して外気へ放射されるので、その孔４１の断面積が小さいことにより、すなわちヘルムホルツ型共鳴構造によりその放射音は減衰される。また、シート部材４０が発泡ポリエチレンからなっていることにより空間Ｓ内の放射音を吸収するので、シート部材４０から漏れる放射音はさらに小さくなる。
【００２８】
このため、バスコア１０の床２０の面からの振動発音や放射音に対して十分な防音効果が得られることになる。
【００２９】
上記実施例では、防音構造５０をバスコア１０の床２０にだけ適用しているが、浴槽１１の底部１１Ａにも設けてもよい。
【図面の簡単な説明】
【００３０】
【図１】この発明に係る防音構造を適用したバスコアを示した断面図である。
【図２】この発明に係る防音構造の構成を示した断面図である。
【図３】バスコアの床の裏面を示した説明図である。
【符号の説明】
【００３１】
１０          バスコア
２０          床
２１          補強用リブ
３１          制振部材
３２          拘束部材
４０          シート部材
４１          孔
【図１】
2008111259.tif 000003
【図２】
2008111259.tif 000004
【図３】
2008111259.tif 000005